(57)【要約】  多孔質スクリーンが実装される離間された支柱を含む防波堤上構造体を用いることを含む陸部保全方法および装置であり、ここでは、仕切りが、保全過程において物質が堆積する際に垂直方向に調整可能である。いくつかの実施例では、仕切りは、離間された支柱上を摺動可能なスリーブにより担持され、また、他の実施例では、仕切りは分割され、複数のスリーブにより担持される。
2005509765.tif 000002
【特許請求の範囲】
【請求項１】
複数の離間された防波堤を用いて粒状物の堆積および保持を起こさせることにより陸部の保全を行なう方法であって、各防波堤は、少なくとも１つの仕切り手段であって長さ方向の補強部材で補強された上方部分および下方部分および側部エッジを具備するものを支持する、複数の離間された支柱を含み、上記上方部分および下方部分の補強部材は上記側部エッジの補強部材と連結され、上記少なくとも１つの仕切り手段は、堆積している物質に対して上昇可能であり、さらに上記少なくとも１つの仕切り手段はそれを突き抜ける複数の孔部を有し、流体がこの孔部を通って流れ、粒状物を堆積させ、しかし、上記孔部は、流体の流れ中に波込まれる、より大きな固形物の通過を阻止する大きさであるように構成される、上記方法において、
（ａ）複数の支柱を相互に離間した関係で配置し、
（ｂ）少なくとも上記補強した側部エッジを、離間した端部支柱に取り付け、上記長さ方向の補強部材をピンと張って当該下方部分が現在の固形物に隣接し、もって当該下方部分に隣接して新たに堆積される固形物を生成するようになすことにより、上記少なくとも１つの仕切り手段を、上記離間した支柱に取り付け、
（ｃ）上記少なくとも１つの仕切り手段の上記下方部分が、新たに堆積された固形物の高さ位置に実質的に維持されるように、少なくとも当該下方部分を繰り返し上昇させることにより、新たに堆積される固形物の生成を維持する、
各ステップを有することを特徴とする上記方法。
【請求項２】
上記少なくとも１つの各仕切り手段の上記側部エッジを上記端部支柱に沿って垂直方向に可動な手段に取り付けることを含む請求項１記載の方法。
【請求項３】
少なくとも１つのスリーブ部材を上記端部支柱の各々に上記端部支柱に対して可動となるように設け、上記少なくとも１つの仕切り手段の上記側部エッジを上記スリーブ部材に取り付けることを含む請求項１記載の方法。
【請求項４】
複数の仕切り手段を上記支柱に取り付け、上記仕切り手段の各々を相互に独立して上昇させることを含む請求項３記載の方法。
【請求項５】
上記少なくとも１つの仕切り手段は、独立して調整可能で垂直方向に配列された複数のセクションを含み、複数のスリーブ部材を上記端部支柱の各々に取り付け、上記複数のセクションを上記複数のスリーブ部材に取り付け、さらに、上記仕切り手段が繰り返し上昇させられる際に、上記端部支柱から上記複数のセクションの最上部のセクションを取り外すことを含む請求項３記載の方法。
【請求項６】
複数の仕切り手段を複数の個別な端部支柱に取り付け、上記仕切り手段の各々を独立に上昇させることを含む請求項２記載の方法。
【請求項７】
少なくとも１対の離間した端部支柱を含む複数の支柱と少なくとも１つの仕切り手段とを有し、
上記少なくとも１つの仕切り手段は、上方部分、下方部分および両側部を有し、さらに、それを突き抜ける複数の孔部を有し、流体および所定の流体搬送物がこれら孔部を通り抜けることができ、上記上方部分および上記下方部分に対して長さ方向に伸びる補強手段が、上記側部に沿って伸びる補強手段と結合し、
さらに、上記仕切り手段の各々の上記両側部を、上記長さ方向の補強部材がピンと張られるように、上記少なくとも１対の端部支柱に対して、垂直方向に調整可能に支持する手段と、
上記１対の端部支柱に対して上記少なくとも１つの仕切り手段を繰り返し上昇させる上昇手段とを有する、
陸部保全用の多孔質防波堤。
【請求項８】
上記少なくとも１対の端部支柱の間に配置された少なくとも１つの中間支柱を有し、これに上記仕切り手段の１つを選択的に取り付けることが可能である請求項７記載の多孔質防波堤。
【請求項９】
上記少なくとも１つの仕切り手段を支持する手段は、上記端部支柱の各々の周りに配される複数のリング部材を含む請求項７記載の多孔質防波堤。
【請求項１０】
上記少なくとも１つの仕切り手段を支持する手段は、上記端部支柱の各々に少なくとも１つ取り付けられるスリーブと、上記仕切り手段の上記側部部分を、上記スリーブに取り付け、以て、上記少なくとも１つの仕切り手段が繰り返し上昇させられるときに、上記少なくとも１つの仕切り手段を上記スリーブによって上記１対の離間した端部支柱に対して案内する手段とを有する請求項７記載の多孔質防波堤。
【請求項１１】
上記少なくとも１つの仕切り手段は、独立して可動な垂直方向に配列された複数のセクションと、上記複数の仕切りセクションが取り付けられる各端部支柱に実装される複数のスリーブとを有する請求項１０記載の多孔質防波堤。
【請求項１２】
上記垂直に配列された仕切りセクションの下方の１つのセクションは、第１の寸法の孔部を有し、上記第１の寸法は、上記下方の１つのセクションの上部にある垂直方向に離間した上記仕切りセクション中の孔部の寸法より小さい請求項１１記載の多孔質防波堤。
【請求項１３】
複数の離間された防波堤を用いて粒状物の堆積および保持を起こさせることにより陸部の保全を行なう方法であって、各防波堤は、複数の仕切り手段であって上方部分および下方部分および側部エッジを具備するものを支持する、複数の離間された支柱を含み、上記仕切り手段は、堆積している物質に対して上昇可能であり、さらに上記仕切り手段はそれを突き抜ける複数の孔部を有し、流体がこの孔部を通って流れ、粒状物を堆積させ、しかし、上記孔部は、流体の流れ中を運ばれる、より大きな固形物の通過を阻止する大きさであるように構成される、上記方法において、
（ａ）複数の支柱を相互に離間した関係で配置し、
（ｂ）少なくとも、各仕切り手段の上記側部エッジを、離間した端部支柱であって他の仕切り手段を支持しないものに取り付け、当該下方部分が現在の固形物に隣接し、もって当該下方部分に隣接して新たに堆積される固形物を生成するようになすことにより、上記仕切り手段を、上記離間した支柱に取り付け、
（ｃ）上記仕切り手段の上記下方部分が、新たに堆積された固形物の高さ位置に実質的に維持されるように、少なくとも当該下方部分を繰り返し上昇させることにより、新たに堆積される固形物の生成を維持する、
各ステップを有することを特徴とする上記方法。
【請求項１４】
上記各仕切り手段の上記側部エッジを、上記端部支柱に沿って垂直方向に可動な手段に取り付けることを含む請求項１３記載の方法。
【請求項１５】
少なくとも１つのスリーブ部材を上記端部支柱の各々に、上記端部支柱に対して可動となるように設け、各仕切り手段の上記側部エッジを上記スリーブ部材に取り付けることを含む請求項１３記載の方法。
【請求項１６】
上記仕切り手段の各々を相互に独立して上昇させることを含む請求項１５記載の方法。
【請求項１７】
上記仕切り手段の各々は、独立して調整可能で垂直方向に配列された複数のセクションを含み、複数のスリーブ部材を上記端部支柱の各々に取り付け、上記複数のセクションを上記複数のスリーブ部材に取り付け、さらに、上記仕切り手段が繰り返し上昇させられる際に、上記端部支柱から上記複数のセクションの最上部のセクションを取り外すことを含む請求項１５記載の方法。
【請求項１８】
複数対の離間した端部支柱、複数の仕切り手段を有し、
上記仕切り手段の各々は、上方部分、下方部分および両側部を有し、さらに、それを突き抜ける複数の孔部を有し、流体および所定の流体搬送物がこれら孔部を通り抜けることができ、
さらに、上記仕切り手段が相互に独立して垂直方向に調整可能なように、上記仕切り手段の各々の上記両側部を、上記端部支柱の離間した対に対して、垂直方向に調整可能に支持する手段と、
上記複数対の端部支柱に対して上記仕切り手段の各々の少なくとも上記下方部分を繰り返し上昇させる上昇手段とを有する、
陸部保全用の多孔質防波堤。
【請求項１９】
上記仕切り手段を支持する手段は、上記端部支柱の各々の周りに配される複数のリング部材を含む請求項１８記載の多孔質防波堤。
【請求項２０】
上記仕切り手段を支持する手段は、上記端部支柱の各々に少なくとも１つ取り付けられるスリーブと、上記仕切り手段の上記側部部分を、上記少なくとも１つのスリーブに取り付け、以て、上記仕切り手段が繰り返し上昇させられるときに、上記仕切り手段を上記スリーブによって上記複数対の離間した端部支柱に対して案内する手段とを有する請求項１８記載の多孔質防波堤。
【請求項２１】
上記仕切り手段は、独立して可動な垂直方向に配列された複数のセクションと、上記複数の仕切りセクションが取り付けられる各端部支柱に実装される複数のスリーブとを有する請求項２０記載の多孔質防波堤。
【請求項２２】
上記垂直に配列された仕切りセクションの下方の１つのセクションは、第１の寸法の孔部を有し、上記第１の寸法は、上記下方の１つのセクションの上部にある垂直方向に離間した上記仕切りセクション中の孔部の寸法より小さい請求項２１記載の多孔質防波堤。
【請求項２３】
上記複数対の端部支柱のうちの少なくとも１対が共通基部に結合されている請求項１８記載の多孔質防波堤。
【発明の詳細な説明】
【技術分野】
【０００１】
この発明は多孔質防波堤状のまたは多孔質仕切り状の構造体および自然力により浸食を受ける浜辺、沿岸部領域おより他の陸地部を保全するのにこれらを用いる方法に関し、より具体的には、使用時に垂直に調整可能であり、もって、再生が進むにしたがって仕切りを順序正しく泥、砂、貝殻、ゴミ、枝、木々、草および他の材料の堆積から上場させることができるようにする多孔質仕切り構造体に関する。
【背景技術】
【０００２】
浜辺や他の沿岸部の浸食は、とくに沿岸地域において、沿岸部に隣接して位置する住居や施設を所有する資産所有者にとって大きな関心事項である。沿岸部および浜辺の浸食により、居住家屋または商業施設が損害を受けるだけでなく、水際の資産の行楽上の損害により一般公共の利益を損なうことになる。
【０００３】
多くの地域においては沿岸浸食を阻止するために、大きな防波堤を構築して満潮時の潮流が陸地部や資産に至らないようにしている。このような構造体はコスト高であり、人口密度がその構築費用に経済的に見合うときのみ実用向きである。さらに、このような構造体は沿岸部の自然眺望に悪影響を与え、多くの地域では実際に構築することは困難である。
【０００４】
沿岸部再生の他の手法は、沿岸部から伸びる突堤や実効的な障壁や岩礁を作ることである。このような構造体は恒久的な設置物であり、一般的には沿岸領域の砂が波作用により海に洗い流されてしまうのを防ぐ。しかしながら、このような構造体も、先の防波堤と同様に、建設や維持に費用がかかり、またいくつかの地域では、海岸線の形状や、主な潮流や潮位作用等により仕様が不適切である。また、このような構造体が、行楽的な利用が予定される場所では安全上問題がある。
【０００５】
沿岸部領域を保全し、浸食を阻止する他の方法は、沖合の海面下に障壁を設置することである。もちろん、大きな多孔質構造体が、現在の沿岸線から所定距離離れて海床や河床に沿って配置される。これら構造体は、波、潮流や潮位作用を打ち消すように設けられ、これにより、浜辺や川辺に近くに低水流速度の領域を形成し、もって、水中の砂、泥および他の微粒子物質が、沿岸部から早い流れにより運び出される前に、沈殿するようにする。このような他の障壁も、いくつかの地域で適宜用いられるのみであり、多くの地域では使用に適さないし、ある地域では、水性生物に悪影響を与えるので支障さえ生じるかもしれない。
【０００６】
沿岸部および浜辺を保全するために広く採用されている他の手法は、浚渫および砂の補給である。沿岸部に沿った大きな砂丘が激しい嵐により損傷し、あるいは洗い出されたときには、泥や砂を新たに補充し砂丘を再構築し潮位作用に対する自然の障壁となるようにする必要が往々にしてある。浚渫は、海床や河床から砂をくみ上げ自然の障壁を構築するのに広く用いられる。沿岸部保全のかかる手法は、高々、一時的な方策にすぎず、沿岸浸食の長期にわたる解決策をなすものではない。さらに、このような復元手法は非常に費用がかかり、多くの地域では実用的ではない。
【０００７】
上述からわかるように、損傷を受けた沿岸部や他の陸地浜辺領域を経済的に保全でき、しかも陸地部や水生環境に悪影響を与えることなく実用的に採用できる手法や装置の提供が要請されている。米国特許第１９６９１２３号および第４７１００５６号には、波作用により運び出される砂、貝殻および他の微粒子物質を封じ込めるためのネット部材を用いる浜辺保全方法および構造体が開示されている。ネット部材は沿岸部から外部に伸ばされ、砂や他の義粒子物質が堆積されるまで適宜放置され、その後、ウィンチや他の装置を用いて引き上げられる。その時点で、ネット部材は、新たに集積された堆積物中に数フィート以上埋もれている。ネット部材を取り出すと、溝やしわが生成され、これにより、沿岸部から水流が流れだす流路を形成し、水中に微粒子物質を運び戻してしまい、保全された沿岸部に悪影響をもたらす。
【０００８】
他の多孔質沿岸部保全の例は米国特許第２２７４８３号、ケース、第２０６０３５７号、ニース、第１９４８６３９号、ヤングバーグ、第１６４６１６８号、プリングル、第２０９７３４２号および第２３４１５１５号、レヘルド、第２１３５３３７号、ハーバード、ジュニア、第２６６２３７８号、シュミット等、第３５６４８５３号、シザール、第４８６１１９３号、ニューカート、第４１１８９３７号、マンセン、第４７３８５６３号、クラーク、第５１０８２２２号、ジャンソン等、および第５２５５９９７号、ベイリ等である。
【発明の開示】
【発明が解決しようとする課題】
【０００９】
この発明の主たる目的は、海洋、湾、入り江、港、川、湖、その他、海流、潮位や風の作用の影響を受ける領域の、沿岸部に沿うような陸部や沖合領域を低コストで保全する方法および装置を提供することである。
【００１０】
この発明の他の目的は、防波堤構造体を提供し、また、これら構造体を一時的に設置でき、陸部が保全された後は保全陸部の自然な輪郭を損なうことなく取り除くことができるような態様でかかる構造体を設置する方法を提供することである。
【００１１】
この発明のさらに他の目的は、陸部を保全するのに用いることができ、環境にやさしく、堆積物の生成に悪影響を与えないように周期的に調整することができる防波堤構造体を提供することである。
【００１２】
またこの発明の目的は、沿岸部に沿うような陸部を保全するのに用いることができ、さらに、いくつかの実施例では、個別に調整することができ、個別に動かすことができるセクションにより構成され、また、細かい粒状物が仕切りの基部に沿って生成しやすくするように仕切りの下方部分に、より小さな孔部が設けられるように種々の多孔性ないし孔サイズのセクションを具備する材料により構成される複数の仕切りを有する、防波堤構造体を提供することである。
【００１３】
この発明の他の目的は、海洋、湾、入り江、港、川等の、沿岸部に沿うような陸部や沖合領域を低コストで保全し、さらに、堆積物の生成を利用して仕切りの下方部分を一時的に動かないよう保持する方法および装置を提供することである。
【課題を解決するための手段】
【００１４】
この発明は、沿岸部、浜辺および沖合領域を保全する方法および装置に関し、それは、沿岸部から遠方へ離間関係を保ちながら伸びるように海床や他の領域に埋め込まれ、それらの間に１または複数の多孔質仕切りを取り付けられた複数の杭や支柱を保持する防波堤（ｇｒｏｙｎｅ）状の除去可能な構造体の設置を伴うものである。ここに用いられるに際して沿岸部（ｓｈｏｒｅｌｉｎｅ）の語句は、陸地および沖合の海底領域の双方を意味し、湖、川、入り江、港、海等に沿う浜辺、岸を含み、この発明は、沿岸部および沖合に固形物の堆積物を積み上げることをまさに目的としている。仕切りは、多数の孔を具備する任意の適切な材料から構成でき、好ましい実施例では、チェーンリンク、通常のネット、ジオテキスタイル、延伸したプラスチック、ナイロンメッシュ、編み込み繊維等の柔軟性のある素材から構成する。いくつかの実施例では、孔は、開いた羽根板状の木製またはプラスチック製の構造体のように、柔軟性のない素材に生成されてもよい。
【００１５】
仕切りは、支柱に対して支持され、その下端が、新たな陸地部を形成する堆積物上に当たってその中に埋め込まれるように構成される。仕切りは、さらに、少なくとも下方部分を周期的にかつ順序正しく上昇させ、それにより仕切りが新規堆積微粒子物質中に過度に深く埋め込まれてしまうのを回避する手段を含む。かかる手段は、ロープ紐（ｔｉｅ  ｌｉｎｅ）、巻き上げリール、昇降機（ホイスト）等であり、これらは仕切りを人手で、あるいはモータ駆動装置で持ち上げるのに用いられる。ホイストやウィンチ装置は、各仕切りに対して共通の場所に設置されてもよいし、構造体に沿って離間された支柱に個別に取り付けられてもよい。
【００１６】
複数の仕切りを周期的に上昇させる態様をより実際的にするために、１つの実施例においては、各仕切りが、その両側部において、各仕切りを支持する少なくとも１対の離間した支柱を取り巻きそれに沿って垂直方向に調整可能に動かすことができるリングまたはループ部材に取り付けられる。そして、仕切りが、一般的に端から端への態様で引き延ばされ、ないしは、展開されたときに、各端部は個別の支柱に取り付けられる。いくつかの実施例では、仕切りの端部は相互に部分的に重なり合う。この発明のいくつかの防波堤構造体では、いの仕切りが隣接する仕切りの配置に悪影響を与えることなく垂直方向に調整可能なようにするために、多くの支柱が、対をなして相互に離間した状態を維持して伸びるように展開される。他の実施例では、複数の仕切りが３つまたはそれ以上の支柱に渡って延び、複数の支柱の端部が共通支柱に取り付けられる。
【００１７】
この発明の複数の仕切りを垂直方向に調整できるようにする態様をさらに実際的にし、またこの発明の複数の防波堤の一体性を強化するために、各仕切りは、その両端部において、離間した支柱の周りに摺動可能に配置される１または複数の管またはスリーブに取り付けられる。仕切りを上昇させるには、支柱に対してスリーブを持ち上げ、または引き上げる。好ましい実施例では、各仕切りは、その側部において、他の仕切りを支持することがない支柱に取り付けられる。ただし、いくつかの実施例では、支柱は、端と端とが重なるような関係で、隣接する仕切りを支持する。
【００１８】
可撓性のある材料を用いたときに仕切りを強固にするために、ワイヤーロープや同様な部材が、各仕切りまたは仕切りセクションの少なくとも上方、下方および側部のエッジまたは縁に設けられる。長さ方向のケーブルが、垂直方向に伸びる側部ケーブルに取り付けられ、もって、垂直ケーブルを支柱にクランプすることにより、長さ方向のケーブルに張力が加わり、これにより、ケーブルが支柱の間でピンと張られ、またその結果、仕切り部材が支柱の間でピンと張られる。
【００１９】
さらなる改良として、いくつかの実施例では、各仕切りが個別の垂直のセクションに分割され、各セクションは、端部支持支柱に可動状態で実装された複数の個別のスリーブに取り付けられる。この場合、仕切りセクションが上昇させられると、適宜、防波堤構造体から、最上部の仕切りセクションが取り外すことができる。
【００２０】
この発明の仕切りは、その下方部分と上方部分との間で非均一なメッシュ孔部を有しても良い。いくつかの実施例では、複数の仕切りセクションが相互に垂直方向に連結され、下方の仕切りセクションのメッシュ孔部の寸法が垂直に続くセクションのものより小さくなっている。他の実施例においては、仕切りセクションは連結されず、個別に支持されて動かされる。典型的には、孔部は、最下部の仕切りセクションにおける約１／８インチから、最上部の仕切りセクションにおける１インチまでの範囲である。ある実施例においては、４つの仕切りセクションが開示されるが、仕切りセクションの数は、個別の保全場所の条件に応じて種々に変化させることができる。
【００２１】
仕切りセクションは、仕切りの下方エッジや、仕切りの垂直方向に飛び飛びの位置、例えば、仕切りのそれぞれの垂直セクションの交差位置において取り付けられた、引き上げロープや線材を引き上げることにより、仕切りセクションが上昇させられて。これに代えて、あるいはこれと共に、仕切りを支柱に連結するリングやスリーブを引き上げて、仕切りセクションを上昇させても良い。
【００２２】
この発明の手法を利用して、複数の離間した防波堤構造体が、相互に離間した配置で、沿岸部から外側に伸びるように配置される。防波堤構造体の間の方位や、防波堤と例えば沿岸に沿う他の領域や物体との間の角度関係は、所定領域の、海流、潮位作用、風の作用のような諸条件により規定されることになろう。一旦、１または複数の仕切りが離間された支柱に取り付けられると、仕切りセクションの基部に堆積物が生成されるに際し、仕切りの下方部分が周期的に上昇させられ、もって、当該下方部分が新規堆積物質中に深く埋め込まれてしまうのを回避する。
【００２３】
好ましくは、仕切りの下方部分すなわち下方エッジは、それが堆積物中に保持されるように引き上げられ、これにより、この堆積物が仕切りの下方エッジを陸地部すなわち海床上に保持する。この発明の構造によれば、さらに、仕切りの引き上げを容易にし、また必要な期間、例えば、水生動物、その他の動物の移動を妨げないようにするために必要な期間、仕切りを引き上げた状態に保持することができる。保全の後には、保全陸部の輪郭を損なうことなしに容易にかかる構造体を取り去ることができる。
【発明の効果】
【００２４】
この発明によれば、陸地、沿岸部、沖合領域を、環境や陸生生物、水生生物に悪影響を与えることなく、容易に保全することができる。図２に示すように、必要であれば、すなわち、浜辺における水生生物系、例えば、亀が卵を生むために浜辺を横切るのを妨げないようにするために、システムの仕切りを上昇させたままにしておく。産卵シーズンが終わったら、仕切りを容易に再展開させることができる。
【００２５】
使用上、各防波堤構造体の長さ、支柱の数、仕切りの数は種々に変更できる。各防波堤の間隔は平行関係になくても良い。構造体の配置角度、密集度、およびサイズは、風の条件や潮位作用、波の作用等の種々の条件に依存する。
【００２６】
この発明の好ましい実施例に関する以上の説明は、この発明の原理を説明するためになされてたものであり、この発明を、説明された具体的な実施例に限定する趣旨ではない。この発明の技術的な範囲は、特許請求の範囲およびその均等物により規定される、すべての実施例により定義されることが意図される。
【発明を実施するための最良の形態】
【００２７】
この発明の多孔質防波堤システムを一連の図を参照して詳細に説明する。各多孔質防波堤システムは具体的には石、貝殻、砂および他の物質を把持するように構成され、また、このシステムを使用することにより保全材料が悪影響を与えるようにかき回されないような態様で、陸地または浜辺前面を保全するように、例えば砂浜や沖合に沿ってこれら物質を堆積させるように構成されている。具体的には、図１において、防波堤システムは、浜辺に沿う例を一例とすれば、一般に満潮線「Ｈ」から干潮線「Ｌ」まで、または水中まで、物質流の方向に対して所定の角度で外側に伸びるように構成されている。浜辺領域では、防波堤システムが、浜辺から全般的に直角に外側に展開され海本体にいたり、ある領域では、構造体の方向を沿岸および海の間で角度を傾ける必要があるかもしれない。多くの場合、構造体は、最大満潮線「Ｈ」を越えて伸びるように取り付けられるようになっている。
【００２８】
防波堤システムは複数の離間した杭すなわち支柱１０を含み、これらは任意の十分に耐久性があり環境にやさしい支持部材からなっている。ある実施例では、メッキ・パイプがコスト、強度および耐久性の点から採用される。支柱は、たとえば浜辺や海床に沿うように符号１１’、１１’’、１１’’’で示されるような１つまたは複数の仕切りを保持できる長さだけ地面に埋め込まれる。仕切りの数は可変である。仕切り１１’は、内側端の支柱１０’から、第２の中間支柱１０の前、第３の中間支柱１０の後ろを通り、その外側端を第１の外側端支柱１０’’に固着している。仕切り１１’’は、第１の外側端支柱１０’’に隣接した、つぎの内側端の支柱１０’から、つぎの２つの中間支柱１０の異なるサイドを交互に通り、つぎの外側端支柱１０’’に固着される。仕切り１１’’’は、つぎの内側端支柱１０’から支柱１０の一側を抜け最も外側の端部の支柱１０’’に取り付けられた外側端分にまで伸びる。仕切り１１’および１１’’は４つの杭すなわち支柱に関連付けられ、仕切り１１’’’は３つの支柱に関連付けられているように示されているが、各仕切りは、２つの支柱に関連付けられていてもよいし、それ以上の支柱に関連付けられていても良い。いくつかの実施例では、１つの内側端支柱および外側端支柱のみが、１またはそれ以上の中間支柱を伴うことができるようにしてもよく、仕切りは内側端支柱から外側端支柱まで長さ方向に一つながりであってもよい。
【００２９】
図１および図２に示される防波堤構造では、仕切り１１’、１１’’、１１’’’は、本発明の開示内容の範囲で、独立して垂直方向に調整可能であり、すなわち、上昇させることができる。これにより、各仕切りに隣接した堆積物に応じて必要なだけ当該仕切りを上昇させることができる。また、仕切りが損傷を受けた場合には、隣接する仕切りに影響を与えることなく、当該仕切りを簡単に取り替えることができる。
【００３０】
支柱すなわち杭は約１０〜２０フィートの間隔で離間されるが、その距離は可変である。さらに、仕切りは図１においては整列されて示されるが、仕切りが段々に配置されても良いし、交互に差分を持ち、支柱１０’が支柱１０’’に比べ海岸側または海岸に近くなるようにしてもよい。さらに、図３Ｂに示すように、クランプ１３が中間支柱１０の頂部付近ではさみ付けられ、仕切りすなわちメッシュ材料をかかる中間支柱に取り付ける目的で使用されてもよい。引き上げ線材は、例えばケーブルであり、保全処理が進行するにのに必要なだけ仕切りの中間部分、底部分および全部を引き上げるために各支柱および支柱間の中間位置に配置されるようにしてもよい。この点については以下に詳述する。
【００３１】
仕切り１１’、１１’’および１１’’’の多孔質メッシュは、複数の孔部を有する実質的に任意の材料により構成できる。孔部は、仕切り部材からなる構造にわたって可変ないし非均一であり、各仕切りの下方端に使い孔部が真ん中や上方の部分の後部より小さくなることが好ましい。例えば、各仕切りの下方端１４に隣接する孔は１／８インチまたはそ以下であり、上方の部分で孔部は１インチまたはそれ以上の大きさとなるように変化する。各仕切りの上方エッジ１２、下方エッジ１４および側部または端部エッジ１５は、仕切りが繊維材料から構成されるならば、通常の縁部材料により構成されてもよいし、また、こららは、１またはそれ以上の軸方向のケーブル４８や端部ケーブルまたはワイヤーロープ４９により補強されても良い。図５を参照されたい。好ましくは、ケーブル４８は、縁部材料の中を通って各仕切りの少なくとも上方エッジおよび下方エッジに沿って伸びる。軸方向ケーブルの端部は、少なくとも各仕切りの各側部に設けられた垂直ケーブル４９に取り付けられる。この態様では、仕切りが端部支柱に対して取り付けられたときに、側部ケーブルが支柱にクランプされ、これにより上部および下部のケーブルに軸方向に伸びる張力を印可し、これらケーブルをピンとなるように引いて仕切りが撓んだり防波堤構造体の線に対して横方向に移動するのを抑制する。また、下方のピンと張ったケーブルにより、仕切りの下方部分が潮位力、流れ、波、風の作用により上昇させられるが阻止される。
【００３２】
いくつかの実施例においては、各仕切りの対向する端部１５はグロメット１６または他の補強領域または孔部を有し、これにより、図３、５、９−１１に示すように、支柱１０’、１０’’の各々に移動可能に取り付けられたリング２２またはスリーブの端部に取り付けられる。リングやスリーブの数は可変であり、また、各仕切りをリングやスリーブに取り付ける態様も種々に採用できる。さらに、他の垂直方向に調整可能な機械支持部を用いて仕切りを支柱１０’および１０’’に結合しても良いことはもちろんである。上述した通り、仕切りは好ましくはクリップ、クランプ等により取り付けられ、そうでない場合には、少なくともケーブルにより補強された側部がリングやスリーブに取り付けられる。
【００３３】
より具体的に図４を参照すると、この発明に従う、１つの仕切り、ネットまたはメッシュ構造の詳細が詳細に示される。仕切り１１は、個別に垂直方向にずれて配置されたセクション１１Ａ、１１Ｂ、１１Ｃおよび１１Ｄを具備し、これらは、底部エッジ１４から上部エッジ１２へ伸びる。セクション１１Ａは、孔部が約１／８インチである細かいメッシュ材料により構成され、セクション１１Ｂのメッシュはより大きなサイズ例えば１／４インチの孔部により規定される。セクション１１Ｃは１／２インチのオーダーのより大きな孔部を有するより開放的なメッシュにより構成され、最も密度の少ない上部仕切りセクション１１Ｄは３／４インチまたはそれ以上のサイズの最も大きな孔部を有している。仕切りセクションは好ましくは頑強な軸方向のコードまたはケーブル３４〜３６を用いて結合される。これらは、その端部において、先に述べたように垂直ケーブルに取り付けられる。
【００３４】
仕切りの下方のセクションは、細かな粒子をトラップし、風、潮流、潮の満干により流れの透過流速を減少させ、仕切りの底に沿って固形物の堆積が生成されやすくする。メッシュ材料は、実証上、好ましくは少なくとも２００ポンドの材料で構成される。
【００３５】
すでに述べたように、仕切り部材の上部は少なくとも２つの支柱１０’および１０’’に、垂直方向に調整可能な部材例えば図５に示すようなリング２２により、強固に取り付けられている。通常、チェーンリンクフェンス構造とともの用いられる図３ＢのようなＣリング・クランプ１３や、他のクランプを用いて、仕切りを支柱に取り付けることができる。クランプは杭すなわち支柱の周りに、各仕切りのメッシュ部材を突き抜けて、取り付けられてもよく、こららクランプは、外側の離間したフランジ１７をナットおよびボルト締めつけ部材１８、１９により取り付けられる。
【００３６】
仕切りすなわちネット部材１１は、また、中間支柱１０の間に編み込まれても良く、これら中間支柱は端部支柱１０’および１０’’の間に配置される。したがって、図１および図２に示されるように、仕切り部材は、最も内側の端部支柱１０’から離間した第１の中間支柱１０の後方を通り、さらに当該最も内側の中間支柱１０’からさらに離れた第２の中間支柱の前を通り、もって、仕切りすなわちネット部材が隣接する支柱すなわち杭の前面、その後、背後を通る。この種の実装配列によれば、付加的な締めつけ部材を必要とすることなく、仕切りすなわちメッシュ部材を強固に取り付けることが可能となり、当該部材は風、潮位力、波の作用により移動させられることがない。しかしながら、いくつかの実施例では、１または複数の仕切りが中間支柱１０に編み込まれることなく取り付けられても良い。
【００３７】
各仕切りの下方部分は、当初に展開されるときには、図１に示されるように、浜辺や海本体「Ｗ］の床部分「Ｆ」に沿うように、保全対象の陸地部上に置かれるようになっている。仕切りすなわちメッシュ部材は、展開に際し、支柱に取り付けられる前に、ピンと引っ張る必要がある。また、柔軟なメッシュ部材を用いる場合には、各仕切りの長さ方向に沿って伸びる長さ方向のケーブルまたはワイヤロープは、仕切りが防波堤の展開方向に対して横方向に動くのを阻止する。砂、砂利、貝殻、石、その他の有形物質が仕切りの下方部分に沿って引っかかった状態になるにしたがって、少なくともその下方エッジ１４が周期的に上昇させられる。少なくとも下方部分１４を周期的に上昇させて、保全過程で新たに堆積した物質を乱すことを制約する。図６Ａを参照すると、仕切り１１の下方エッジが、当初、海本体「Ｗ」の床部分「Ｆ」に接触して展開される。物質の堆積が、図６Ｂに示すように、所定高さまで、例えば、約２〜３フィートだけ立ち上がり始めたのち、仕切りの下方エッジ１４は、引き上げコード、チェーン、ケーブルその他により持ち上げられ、図６Ｃに示すように、下方エッジが物質堆積部「Ｄ」の上まで持ち上げられるようにする。仕切りの中間部分は、堆積部中に約１フィートの深さだけ、埋め込まれる。仕切りは、新たな堆積部が生成されていく際に、堆積部の生成が邪魔されないようにする一方で、堆積部が仕切りの最下端展開部分が動かないように保持するように機能するように、周期的に上昇させられる。
【００３８】
仕切りは他の態様で上昇させられても良いことはもちろんである。図７を参照すると、仕切りは、複数のコード、ケーブルまたは線材３０によりアコーディオン態様で上昇させられても良い。これらコード等は、いくつかのまたはすべての杭や支柱に関係づけられまた隣接して設けられる。線材３０は、下方に延び、仕切りすなわちメッシュ部材の底エッジ１４で回され、支柱に隣接して仕切りの上方部分に戻され、ここで、線材は支柱、または仕切りのメッシュ部材に縛りつけられる。上昇用の線材の端部を取り付けるためのクランプを別途設けても良い。この実施例では、メッシュ部材の下方部分を上方させることが望まれるときに、線材を上昇させ、もって、下方エッジから仕切りすなわちメッシュ部材を上方に引き上げる。図６Ａ〜図６Ｃに示される実施例のように、仕切りの一部が堆積物中に保持されるのを確実にする高さ分だけ堆積が生成された後に、下方部分を持ち上げることが好ましい。
【００３９】
図５に示すように、いつかの実施例では、１本または複数本の引き上げ用のロープ、コード、ケーブルその他の線材３０を支柱１０’および１０’’の各々に関連付けることが好ましい。線材は１または複数のリング部材２２に、またはその周りに結合される。五日の例では、各支柱に対し２本の線材を用いることにより、リングがその上昇時に支柱に固着されないようにする。しかし、もちろん、１本の線材を用いるのでもよい。
【００４０】
保全過程において仕切りすなわちメッシュ部材が容易に上昇するように、中間的な引き上げ用ロープすなわち線材３１〜３３を図１に示すように設けても良い。これらは、仕切り部材のセクションの間に伸びるケーブル３４〜３６に取り付けられる。１本の中間的な引き上げ用ロープすなわち線材を支柱間の各々に用いても良いが、付加的な、補充的な、中間的な引き上げ用ロープまたは線材をさらに用いても良い。これら線材を用いる際には、適宜、線材は、仕切りすなわちメッシュ部材の上方端部１２から外され、その後、上述したように仕切り材料を上昇させるために持ちあげられる。この後、線材は、仕切りすなわちメッシュ部材の上方端部１２に再度結ばれ、これによって、仕切りの下方のセクションが新たな展開位置に保持される。
【００４１】
使用に際し、複数の防波堤構造体が、浜辺前面や沿岸部の所定領域のような陸地を保全すべき領域に沿って、相互に、対象の種々の間隔で配置されてもよい。どの程度間隔を置くかは、風、波、潮位作用や、保全対象領域の陸地の輪郭に応じて決定される。物質堆積部が所定の高さ持ち上がったならば、仕切り、および、いくつかの場合には、杭すなわち支柱を除去し、さらなる堆積が自然にできるようにする。
【００４２】
より具体的に図８を参照すると、仕切りを容易に持ちあげられるようにするために、１または複数のポータブル型引き上げ装置を用いても良い。各装置は、引き上げ用線材が取り付けられた巻き上げリール４１を含む。線材は、リングまたはスリーブに係合するためのフックまたは締めつけ部材４７を含む。各リール４１は支持部材４４にブラケット４２により取り付けられる。いくつかの実施例においては、支持部材は各支柱や杭の上部に栽置されるサイズの中空パイプを用いることができる。他の実施例においては、支持部材は、手作業で係合可能なハンドルや、引き上げ装置を海床から支持するのに用いる延長部４５を含む延長組み立て体を用いることができる。さらに、リールは手作業で駆動することもできるが、空あるまたは油圧ライン４６を、適宜な流体制御源および装置モータ（図示しない）の間に設け巻き上げリールを駆動しても良い。
【００４３】
沿岸部に設けた防波堤に加わる膨大な力により、仕切りすなわちネット部材は支柱の実装係合部から引きちぎられることがある。この発明の仕切りの耐久性を向上させ、また周期的な上方を容易にするために、この発明では、仕切りを支柱に取り付けるためのリングに代えて、図９〜図１２に示すように、仕切りの側部を支柱に取り付けるために長尺のスリーブを用いる。図９に示すように、支柱１０’および１０’’の周りに摺動可能に保持されるサイズの長尺の管すなわちスリーブ５０が、仕切り１１’および１１’’の側部１５を支柱に取り付けるために用いられる。仕切りをさらに強化するために、側部、上方、下方縁部が、先に述べたように、縁構造中に強化用ケーブルまたはワイヤロープ４９および４８を具備する。仕切りはスリーブ５０に金属製バンドクランプ１３により取り付けられ、このクランプは図３Ｂに示すものと同様のものである。このましくは、仕切りを展開するときに長さ方向のケーブルをピンと張るべきである。先に述べたように、長さ方向のケーブル４８は適宜な締めつけ部材により垂直方向のケーブル４９に取り付けられる。クランプは垂直方向のケーブルに係合し、長さ方向のケーブルに張力を加える。仕切りの下方縁部に沿う物質堆積のために、各仕切りの下方部分１４を上昇させなくてはならなくなったときには、引き上げ装置がスリーブ５０を上昇させるために設けられ、これにより仕切りを支柱に対して上昇させる。
【００４４】
図９に示すように、いくつかの実施例においては、いくつかの先に実施例を参照して説明したように、各仕切りが、その側部において、対の支柱１０’および１０’’の各々に結合されている。しかしながら、いくつかの場合には、図１１に示すように、隣接する仕切りを１つの共通の支柱に取り付けても良い。図１０のようである。また、個別の仕切り１１、１１’および１１’’に代えて、単一の仕切りを、図１に示すように、各支柱に渡って伸びるように設けても良い。
【００４５】
この発明において仕切りを支柱に対して上昇させる手法を容易にするために、仕切りを、独立して動かせるセクションとして構成してもい。セクションはケーブル４８’および４９’のような頂部、底部および側部補強部材を具備しても良い。図１０に示すように、仕切り６０および６１は側部部分６２を具備し、これが、離間された支柱１０’および１０’’に複数の、図３Ｂに符号１３で示すようなクランプによって取り付けられる。また、これら側部部分が垂直方向の側部ケーブル４９’に係合され、もって長さ方向のケーブルがピンと張られる。この実施例では、各仕切りが、複数の個別に動くセクション６０Ａ、６１Ａ、６０Ｂ、６１Ｂ、６０Ｃ、６１Ｃ、６０Ｄおよび６１Ｄを具備する。仕切りの個別のセクションが相互に独立して動くようにするために、各仕切りセクションは符号６４Ａ、６４Ｂ、６４Ｃ、６４Ｄにより示すような別々のスリーブに取り付けられる。各仕切りの側部はケーブル４９’により補強され、これにより、クランプ１３が仕切りの側部部分を可動スリーブに対して保持するのが容易となる。
【００４６】
図１０の実施例を参照すると、個別のセクションは、最上部の仕切りがもはや必要でなくなったときに、セクションを支柱１０’または１０’’から単に外して保管するだけでよいように、個別に上昇させることができる。
【００４７】
この発明によれば、先に述べ、また、図４の実施例に関して示されたように、下方の仕切り６０Ｄおよび６１Ｄの孔部を他の仕切りの孔部より小さくするようにメッシュ部材のサイズを変えながら仕切りセクションを構成するようにしても良い。
【００４８】
この発明の他の変形例が図１１に示され、この図において、仕切り６０および６１が、離間した隣接支柱１０’および１０’’に代えて、共通の支柱１０に取り付けられている。この実施例においては、隣接した仕切りは一緒に上昇させる。仕切りの中間部分は適宜クランプによりスリーブに取り付けられても良い。
【００４９】
図１３を参照すると、端部支柱１０’’および１０’が共通基部７２を有する「Ｙ」型の単一構成部材として構成されても良い。基部は腕部７０により垂直の支柱杭１０’’および１０’に結合される。この点に関して、支柱ないし杭は、この発明および添付特許請求の範囲における意味では、依然、相互に離間されており、また、「Ｙ」構造により、実装される隣接仕切りを独立して調整させることができる。
【図面の簡単な説明】
【００５０】
【図１】この発明の１実施例の側面説明図であり、いくつかは対をなす支柱や仕切りを沿岸部に対して展開し、沿岸部から外側に伸びる様子を示す。
【図２】水生動物の自然な移動に支障を与えないように仕切りを上昇させていることを示す点を除き、図１と同様な図である。
【図３Ａ】図１の３Ａ−３Ａ線に沿う、この発明の２つの隣接支柱の部分拡大平面図で、この発明の教示に従って仕切りを取り付けるためのリングを示す。
【図３Ｂ】この発明のいくつかの支柱に仕切りを取り付けるためのクランプの平面図である。
【図４】この発明の構造体に用いられる細分化された仕切りの１つの実施例の部分正面図である。
【図５】拡大側面図であり、端と端の配置で仕切りを取り付けるための隣接支柱を示し、また、１または複数の案内リングを用いて仕切りを支柱に取り付ける態様を示す。
【図６Ａ】物質が堆積していく際にこの発明の仕切りの下方部分を周期的に上昇させる１実施例を示す。
【図６Ｂ】物質が堆積していく際にこの発明の仕切りの下方部分を周期的に上昇させる１実施例を示す。
【図６Ｃ】物質が堆積していく際にこの発明の仕切りの下方部分を周期的に上昇させる１実施例を示し、また、仕切りの下方部分が新規堆積物により捕捉される態様を説明する。
【図７】この発明の仕切りの下方部分を上昇させるための代替的な実施例を示す。
【図８】この発明において、仕切りを上昇させるために用いられ装置であって、仕切りを支柱に実装するリングやスリーブと係合するフックを具備するもの側面図である。
【図９】この発明の他の実施例の側面説明図であり、離間された支柱に対して可動なスリーブに実装された仕切りを示す。
【図１０】図９と同様な図であり、個別に動かすことができる仕切りセクションを義日摺る代替的な仕切り構造を示す。
【図１１】図１０と同様な図であり、仕切りセクションが共通支柱に実装されるのを示す。
【図１２】図１１の線１２−１２に沿う断面図である。
【図１３】この発明に従う変更された支柱の縮小スケールの正面図である。
【符号の説明】
【００５１】
１０’、１０’’      端部支柱
１０      中間支柱
１１、１１’、１１’’、１１’’’      仕切り
１１Ａ、１１Ｂ、１１Ｃ、１１Ｄ      仕切りセクション
１２      上部エッジ
１３      クランプ
１４      下方エッジ
１５      側部エッジ
１６      グロメット
１７      フランジ
１８      ナット
１９      ボルト
２２      リング部材
３０、３１      線材
３４、４８、４９      ケーブル
４１      リール
４２      ブラケット
４４      支持部材
４５      延長部
４６      油圧ライン
４７      フック
５０      スリーブ
７０      腕部
７２      共通基部
【図１】
2005509765.tif 000003
【図２】
2005509765.tif 000004
【図３Ａ】
2005509765.tif 000005
【図３Ｂ】
2005509765.tif 000006
【図４】
2005509765.tif 000007
【図５】
2005509765.tif 000008
【図６Ａ】
2005509765.tif 000009
【図６Ｂ】
2005509765.tif 000010
【図６Ｃ】
2005509765.tif 000011
【図７】
2005509765.tif 000012
【図８】
2005509765.tif 000013
【図９】
2005509765.tif 000014
【図１０】
2005509765.tif 000015
【図１１】
2005509765.tif 000016
【図１２】
2005509765.tif 000017
【図１３】
2005509765.tif 000018
【国際調査報告】
2005509765.tif 000019